(57)【要約】【課題】限定された狭い空間でも使用可能なスパナを提供する。【解決手段】スパナ（１０）の第１の部材（１１）には、長手方向一方端部に、一対のあご部（２１，２２）を有する挟持部（２０）が設けられている。第１の部材（１１）の長手方向他方端部には、第２の部材（１２）の長手方向一方端部が、回動軸線（１３０）のまわりを回動自在に連結されている。挟持部（２０）は、一対のあご部のうち回転方向後方に位置するあご部（２１）の、ねじ部品の側面（４１）に当接する内側面（２１ａ）の長さが、回転方向前方に位置するあご部（２２）の、ねじ部品の側面（４２）に当接する内側面（２２ａ）の長さよりも短くなるように形成されている。【選択図】図１
2015168026.tif 000002
【特許請求の範囲】
【請求項１】
六角形のねじ部品の締付けおよび緩め作業に用いられるスパナであって、
長手方向一方端部に、前記ねじ部品の対向する側面を挟持する一対のあご部を有する第１の挟持部が設けられた第１の部材と、
前記第１の部材の長手方向他方端部に、その長手方向一方端部が回動軸線のまわりを回動自在に連結された第２の部材とを備え、
前記第１の挟持部は、前記一対のあご部のうち回転方向後方に位置するあご部の、前記ねじ部品の側面に当接する内側面の長さが、回転方向前方に位置するあご部の、前記ねじ部品の側面に当接する内側面の長さよりも短くなるように形成されている、スパナ。
【請求項２】
前記第２の部材は、前記第１の部材よりも長い、請求項１に記載のスパナ。
【請求項３】
前記第２の部材は、その前記回動軸線に沿う高さが、長手方向一方端部よりも他方端部の方が高くなるように形成されている、請求項１または２に記載のスパナ。
【請求項４】
前記第１の部材は、その前記回動軸線に沿の高さが、長手方向一方端部よりも他方端部の方が高くなるように形成されている、請求項１〜３のいずれかに記載のスパナ。
【請求項５】
前記第２の部材の他方端部には、前記ねじ部品の対向する側面を挟持する一対のあご部を有する第２の挟持部が設けられている、請求項１〜４のいずれかに記載のスパナ。
【請求項６】
前記第１の挟持部および前記第２の挟持部の形状は、前記回動軸線を中心として点対象である、請求項５に記載のスパナ。
【発明の詳細な説明】
【技術分野】
【０００１】
本発明は、六角形のねじ部品の締付けおよび緩め作業に用いられるスパナに関する。
【背景技術】
【０００２】
スパナは、ボルト（頭）やナットといった六角形のねじ部品の締付けおよび緩め作業を行うために使用される。これらの作業効率の向上等を目的として、各種形状のスパナが提案されている。
【０００３】
たとえば、実開平７−２０２５８号公報（特許文献１）、実開平６−８０５５９号公報（特許文献２）、特表平１１−５０７８７９号公報（特許文献３）、および特開平７−２６６２４２号公報（特許文献４）には、ねじ部品の締付け等を行う場合に、ねじ部品を口部内に位置させた状態で、ねじ部品を係合し直すことができるようにするために、上顎部および下顎部の形状を改良したスパナが開示されている。
【０００４】
また、特開２０１０−２８４７５１号公報（特許文献５）には、狭い場所や奥まった場所に位置するボルトを容易に締め付けられるようにするために、一端にスパナ口を有する第１アームと、一端に把持部を有する第２アームとが、連結軸を介してボルトの回動方向へ回動可能に連結されたスパナが開示されている。
【先行技術文献】
【特許文献】
【０００５】
【特許文献１】実開平７−２０２５８号公報
【特許文献２】実開平６−８０５５９号公報
【特許文献３】特表平１１−５０７８７９号公報
【特許文献４】特開平７−２６６２４２号公報
【特許文献５】特開２０１０−２８４７５１号公報
【発明の概要】
【発明が解決しようとする課題】
【０００６】
上記のようなスパナは、狭い場所での締付けおよび緩め作業にも適しているが、さらに限定された狭い空間でも使用可能なスパナが望まれていた。
【０００７】
本発明の目的は、限定された狭い空間でも使用可能なスパナを提供することである。
【課題を解決するための手段】
【０００８】
この発明のある局面に従うスパナは、六角形のねじ部品の締付けおよび緩め作業に用いられるスパナであって、第１の部材と第２の部材とを備えている。第１の部材には、長手方向一方端部に、ねじ部品の対向する側面を挟持する一対のあご部を有する第１の挟持部が設けられている。第２の部材は、第１の部材の長手方向他方端部に、その長手方向一方端部が回動軸線のまわりを回動自在に連結されている。第１の挟持部は、一対のあご部のうち回転方向後方に位置するあご部の、ねじ部品の側面に当接する内側面の長さが、回転方向前方に位置するあご部の、ねじ部品の側面に当接する内側面の長さよりも短くなるように形成されている。
【０００９】
好ましくは、第２の部材は、第１の部材よりも長い。
【００１０】
好ましくは、第２の部材は、その回動軸線に沿う高さが、長手方向一方端部よりも他方端部の方が高くなるように形成されている。
【００１１】
また、第１の部材は、その回動軸線に沿の高さが、長手方向一方端部よりも他方端部の方が高くなるように形成されていてもよい。
【００１２】
好ましくは、第２の部材の他方端部には、ねじ部品の対向する側面を挟持する一対のあご部を有する第２の挟持部が設けられている。
【００１３】
第１の挟持部および第２の挟持部の形状は、回動軸線を中心として点対象であることが望ましい。
【発明の効果】
【００１４】
本発明のスパナによれば、限定された狭い空間でも使用可能である。
【図面の簡単な説明】
【００１５】
【図１】本発明の実施の形態１に係るスパナを示す平面図である。
【図２】スパナの使用箇所の一例を示す斜視図である。
【図３】本発明の実施の形態１に係るスパナの挟持部が回転する様子を模式的に示す図である。
【図４】本発明の実施の形態１に係るスパナを用いた締付け作業を模式的に示す図である。
【図５】本発明の実施の形態１に係るスパナの形状を模式的に示す図である。
【図６】本発明の実施の形態１の変形例１に係るスパナを横から見た図である。
【図７】本発明の実施の形態１の変形例２に係るスパナを横から見た図である。
【図８】本発明の実施の形態２に係るスパナを示す平面図である。
【図９】本発明の実施の形態２に係るスパナの形状を模式的に示す図である。
【図１０】本発明の実施の形態２に係るスパナを用いた緩め作業を模式的に示す図である。
【図１１】本発明の実施の形態３に係るスパナの構成例を示す平面図である。
【発明を実施するための形態】
【００１６】
本発明の実施の形態について図面を参照しながら詳細に説明する。なお、図中同一または相当部分には同一符号を付してその説明は繰返さない。
【００１７】
＜実施の形態１＞
本実施の形態に係るスパナは、片口スパナである。図１〜図５を参照して、本実施の形態に係るスパナ１０について説明する。
【００１８】
スパナ１０は、六角形のねじ部品４０の締付けおよび緩め作業に用いられる。ねじ部品４０は、たとえばボルトの頭部であってもよいし、ナットであってもよい。本実施の形態において、スパナ１０は、第１の部材１１と第２の部材１２とを備えている。第１の部材１１は、長手方向一方端部に、挟持部２０を有している。第２の部材１２は、第１の部材１１の長手方向他方端部に、その長手方向一方端部が回動軸線１３０のまわりを回動自在に連結されている。本実施の形態では、第１の部材１１と第２の部材１２とは、たとえば連結軸１３によって回動自在に連結されている。この場合、回動軸線１３０は、連結軸１３の中心線である。
【００１９】
図２に示されるように、本実施の形態のスパナ１０は、たとえば、外壁パネル（図示せず）の下端部に取り付けられる高さ調整ボルト５０の頭部５１またはナット５３の締付けおよび緩め作業に用いられる。つまり、ねじ部品４０は、高さ調整ボルト５０の頭部５１またはナット５３である。高さ調整ボルト５０について簡単に説明する。
【００２０】
高さ調整ボルト５０は、建物の基礎１上に設置された柱２よりも屋外側（矢印Ａ１方向）に、配置されている。高さ調整ボルト５０の頭部（以下「ボルト頭」ともいう）５１は、基礎１上に配置され、その軸部５２は、外壁パネルの下端に位置するパネルフレーム（図示せず）と、パネルフレームが載置されるパネル受け部６０とを上下方向に貫通している。ナット５３は、パネル受け部６０を下方から支持している。図２に示す高さ調整ボルト５０には、基礎１の縁に沿って配置される土台水切（図示せず）を固定するための水切取付具７０が取り付けられている。なお、図２の例では、２本の高さ調整ボルト５０が、柱２の屋外側の側面に沿って幅方向に並んでいる。
【００２１】
再び図１を参照して、挟持部２０は、ねじ部品４０の対向する側面４１，４２を挟持する一対のあご部２１，２２を有する。一対のあご部のうち回転方向前方に位置するあご部を、上あご部２１という。これに対し、一対のあご部のうち回転方向後方に位置するあご部を、下あご部２２という。ここでの回転方向は、ねじ部品４０の締付けおよび弛緩に直接作用する方向であるものとする。つまり、ねじ部品４０を締め付ける際の回転方向は、時計回りであり、ねじ部品４０を緩める際の回転方向は、反時計回りである。以下の説明においては、理解の容易のために、スパナ１０によってねじ部品４０を締め付ける場合を例にする。
【００２２】
上あご部２１は、ねじ部品４０の対向する側面の一方（側面４１）に当接する内側面２１ａと、内側面２１ａの奥側に隣接する内側面２１ｂとを有している。下あご部２２は、ねじ部品４０の対向する側面の他方（側面４２）に当接する内側面２２ａと、内側面２２ａの奥側に隣接する内側面２２ｂとを有している。上あご部２１の内側面２２ｂと下あご部の内側面２２ｂとは、互いに隣接している。本実施の形態では、挟持部２０は、上あご部２１の内側面２１ａの長さＬ１が、下あご部２２の内側面２２ａの長さＬ２よりも短くなるように形成されている。内側面２１ａの長さＬ１は、内側面２１ａの先端側を前方、隣接する内側面２１ｂ側を後方とした場合における、内側面２１ａの前後方向の長さを表わしている。同様に、内側面２２ａの長さＬ２は、内側面２２ａの先端側を前方、隣接する内側面２２ｂ側を後方とした場合における、内側面２２ａの前後方向の長さを表わしている。
【００２３】
上あご部２１および下あご部２２を上記のように形成することで、挟持部２０をねじ部品４０から一旦引き抜かなくても、挟持部２０の開口内にねじ部品４０を係合させたままで、ねじ部品４０の締め付けと、戻し作業とを行うことができる。つまり、図３に示すように、作業者は、挟持部２０を時計回り（実線で示す方向）に約６０度回してねじ部品４０を締め付けた後に、挟持部２０を反時計回り（破線で示す方向）に回転させて戻すことで、ねじ部品４０を挟持し直すことができる。
【００２４】
なお、上あご部２１の内側面２１ａと下あご部２２の内側面２２ａとは、平行ではなく、内側面２１ａは、その先端側が対向する内側面２２ａ側に近づくよう、やや傾いていることが望ましい。具体的には、内側面２２ａの後端（隣接する内側面２２ｂ側）を基準とした場合の内側面２２ａと平行な面を「基準面」と定義した場合、この基準面に対する内側面２１ａのなす角度θは、たとえば１１度である。挟持部２０の開口部の形状をこのようにすることで、締付け時に、上あご部２１の掛かりを良くすることができる。なお、この角度θは、５〜１５度の範囲の鋭角であればよい。
【００２５】
また、上あご部２１の内側面２１ａの先端部と下あご部２２の内側面２２ａとの間の寸法（最短距離）Ｌ３は、ねじ部品４０の対辺Ｌ４よりもやや大きくとられることが望ましい。これにより、戻し時に、スムーズに挟持部２０を回転させることができる。
【００２６】
図２に示した高さ調整ボルト５０の調整作業は、幅方向（矢印Ａ２）および高さ方向の双方において、限られた狭い空間にて行わなければならない。本実施の形態のスパナ１０は、柄として機能する第２の部材１２が、第１の部材１１に対して回動可能に連結されているため、図２に示すように、狭い幅であっても、ねじ部品４０、すなわちボルト頭５１またはナット５３の締付け作業を行うことができる。なお、ここでは、２本の高さ調整ボルト５０のうち、紙面左側（すなわち、屋内側から見て右側）に位置する高さ調整ボルト５０の頭部５１またはナット５３を締め付ける場合を例にして説明する。
【００２７】
具体的には、図４を参照して、作業者は、第１の部材１１を一方側に回動させた状態で第２の部材１２を把持し、挟持部２０をねじ部品４０の側方（屋内側から見て右側）から嵌め込ませる。一旦、ねじ部品４０に挟持部２０を係合させると、第２の部材１２を、基礎１の奥行き方向に沿ってほぼ平行移動させるだけで、ねじ部品４０の締付け作業を行うことができる。つまり、ねじ部品４０を締め付ける場合には、第２の部材１２を屋内側（実線で示す方向）に動かし、再締め付けのために戻す場合には、第２の部材１２を屋外側（破線で示す方向）に動かせばよい。なお、第２の部材１２は、第１の部材１１よりも長いことが望ましい。
【００２８】
ここで、スパナ１０は、主に、図２に示したナット５３を回転させることによってパネル受け部６０の高さを調整するが、ボルト頭５１を回転させることによってもパネル受け部６０の高さが調整される。ボルト頭５１は、水切取付具７０の底壁７１に載置されているものの、基礎１の上面の直ぐ上に配置されている。そのため、ボルト頭５１を締め付ける場合、第２の部材が第１の部材１１とほぼ同じ面上において平行に真直ぐ延びていると、第２の部材を把持する手が基礎１の上面に当たるため、作業効率が劣る。
【００２９】
これに対し、本実施の形態における第２の部材１２は、その回動軸線１３０に沿う高さが、長手方向一方端部（連結軸１３側）よりも他方端部の方が高くなるように形成されている。具体的には、第２の部材１２は、回動軸線１３０の沿う方向に段差を有しており、たとえば、長手方向における第２の部材１２の中央部に傾斜部１２３が設けられている。傾斜部１２３は、他方端部側が斜め上方となるよう傾斜している。そのため、第２の部材１２の他方端部側の水平部１２２の高さは、一方端部側の水平部１２１よりも高い。したがって、図５に示されるように、基礎１と把持部としての水平部１２２との間隔Ｄ２の方が、基礎１と連結軸１３側の水平部１２１との間隔Ｄ１よりも大きくすることができる。
【００３０】
したがって、作業者は、基礎１のような平面（以下「底壁面」という）上または底壁面に近接した位置に配置されたねじ部品４０であっても、容易にねじ部品４０を締付けることができる。また、把持部としての水平部１２２は、第１の部材１１よりも高い位置において第１の部材１１と平行に延びているため、作業者は、第２の部材１２を水平方向に動かせばよい。したがって、締付け作業をより容易に行うことができる。なお、本実施の形態において、スパナ１０の説明に用いられる高低の表現は、回動軸線１３０の延びる方向において、第１の部材１１（の挟持部２０）に近い方が低く、これよりも遠い方が高いことを意味している。
【００３１】
上述のように、本実施の形態によれば、幅および高さが限られた狭い空間であっても、適切にねじ部品４０の締付け作業を行うことができる。したがって、スパナ１０を使用することで、作業効率を向上させることができる。
【００３２】
なお、基礎１の奥行き寸法があまり大きくない場合などにおいては、下方に基礎１がない空間において、第２の部材１２の平行移動が可能なケースもある。たとえばこのようなケースでは、第２の部材１２も、第１の部材１１と同様に真直ぐ延びていてもよい。あるいは、スパナ１０の第２の部材１２の長さを長く調整することで、下方に基礎１がない空間から作業できるようにしてもよい。
【００３３】
また、基礎１のような底壁面上でのねじ部品４０の締付け作業を行い易くするためのスパナの形状は、上記のような例に限定されない。スパナの他の形状例を、変形例１，２として説明する。
【００３４】
（変形例１）
図６は、本実施の形態の変形例１に係るスパナ１０Ａを横から見た図である。スパナ１０Ａは、上記実施の形態１の第１の部材１１および第２の部材１２に代えて、それぞれ、第１の部材１１Ａおよび第２の部材１２Ａを有している。
【００３５】
第２の部材１２Ａは、長手方向において段差なく延びている。これに対し、第１の部材１１Ａは、その回動軸線１３０に沿う高さが、長手方向一方端部よりも他方端部の方が高くなるように形成されている。つまり、第１の部材１１Ａは、挟持部２０側よりも、連結軸１３側の方が高く形成されている。
【００３６】
第１の部材１１Ａは、たとえば、実施の形態１における第２の部材１２と同様に、長手方向に段差を有している。つまり、長手方向における第１の部材１１Ａの中央部に傾斜部１１３が設けられている。傾斜部１１３は、他方端部側が斜め上方となるよう傾斜している。そのため、第１の部材１１Ａの他方端部側の水平部１１２の高さは、一方端部側の水平部１１１よりも高い。挟持部２０は、水平部１１１の先端に形成されている。
【００３７】
（変形例２）
図７は、本実施の形態の変形例２に係るスパナ１０Ｂを横から見た図である。スパナ１０Ｂは、上記実施の形態１で示した第１の部材１１に代えて、上記変形例１で示した第１の部材１１Ａを有している。つまり、スパナ１０Ｂは、上述の第１の部材１１Ａと第２の部材１２とを有している。この場合、第１の部材１１Ａおよび第２の部材１２の双方が、その他方端部側が高くなるように形成されている。これにより、第２の部材１２の把持部としての水平部１２２と基礎１との間の間隔を、より大きく採ることができる。
【００３８】
＜実施の形態２＞
本実施の形態に係るスパナは、両口スパナである。図８〜図１０を参照して、本実施の形態に係るスパナ１０Ｃについて説明する。スパナ１０Ｃの基本的な構成は、実施の形態１の変形例２と同様である。したがって、ここでは、変形例２で示したスパナ１０Ｂと異なる部分のみ詳細に説明する。
【００３９】
図８および図９に示されるように、スパナ１０Ｃは、変形例２で示したスパナ１０Ｂ（実施の形態１で示したスパナ１０）における第２の部材１２に代えて、第２の部材１４を含む。つまり、スパナ１０Ｃは、第１の部材１１Ａと、第２の部材１４とを含む。
【００４０】
第２の部材１４は、その他方端部に、ねじ部品４０の側面を挟持する挟持部３０を有している。それ以外は、上述の第２の部材１２と同様であってよい。つまり、第２の部材１４は、第２の部材１２と同様に、長手方向に段差を有している。第２の部材１４の一方端部側の水平部１４１と、他方端部側の水平部１４２との間に、傾斜部１４３が設けられている。水平部１４２に、挟持部３０が形成されている。傾斜部１４３は、他方端部側が斜め上方となるよう傾斜している。
【００４１】
挟持部３０の開口部の形状は、挟持部２０と同様である。つまり、挟持部３０の上あご部３１および下あご部３２の形状は、挟持部２０の上あご部２１および下あご部２２の形状と同様である。ただし、挟持部３０の形状は、第１の部材１１Ａの挟持部２０の形状と、回動軸線１３０を中心として点対称であることが望ましい。この場合、ねじ部品４０を左右両側から締め付けることができる。
【００４２】
たとえば、図２に示す紙面左側の高さ調整ボルト５０を調整する場合、実施の形態１と同様に、第１の部材１１Ａの挟持部２０によってボルト頭５１を回転させる。これに対し、図２に示す紙面右側（すなわち、屋内側から見て左側）の高さ調整ボルト５０を調整する場合には、第２の部材１４の挟持部３０によってボルト頭５１を回転させることができる。より具体的には、実施の形態１と同様に作業者が屋内側（柱２側）から作業する場合、第１の部材１１Ａを把持し、第１の部材１１Ａを屋外側へ動かすことで、ねじ部品４０を締め付けることができる。また、第１の部材１１Ａを屋内側へ動かすことで、挟持位置に戻すことができる。なお、本実施の形態では、第１の部材１１Ａと第２の部材１４とは、同じ長さであってよい。
【００４３】
また、本実施の形態では、スパナ１０Ｃは、一方の挟持部２０を基準とした場合、他方の挟持部３０の高さが、挟持部２０を有する第１の部材の板厚以上、高くなるように形成されている。したがって、図１０に示されるように、スパナ１０Ｃを上下反転させて、第２の部材１４の挟持部３０をねじ部品４０に係合させることで、ねじ部品４０を緩める際にも、締付ける際と同じ側方から作業することができる。
【００４４】
つまり、本実施の形態によれば、スパナ１０Ｃを上下反転させた場合も、基礎１と作業者により把持される第１の部材１１Ａとの間の間隔が開く。そのため、ねじ部品４０を締め付ける場合と同じ方向から挟持部３０をねじ部品４０に嵌め入れて作業することができる。なお、図２の紙面左側に位置する高さ調整ボルト５０の緩め作業を行う場合には、図１０に示すように、第１の部材１１Ａを屋外側（実線で示す方向）に動かすことで、ねじ部品４０を緩める。また、第１の部材１１Ａを屋内側（破線で示す方向）に動かすことで、挟持部３０の開口部内にねじ部品４０を係合させたままで、挟持位置に戻すことができる。
【００４５】
上述のように、本実施の形態によれば、正転および逆転の両方で、かつ、左右両側からの作業が可能となる。したがって、スパナ１０Ｃによれば、より十分に作業性を向上させることができる。
【００４６】
また、本実施の形態では、底壁面上またはその付近に位置するねじ部品４０の調整作業について説明したが、スパナ１０によれば、天壁面下またはその付近に位置するねじ部品４０の調整作業も容易に行うことができる。
【００４７】
なお、スパナ１０Ｃの、回動軸線１３０に沿う高さ方向の形状は、図９に示したような形状に限定されない。図２に示したナット５３の調整作業に用いる場合など、底壁面から離れて配置されるねじ部品の締付けおよび緩め作業を行う場合には、たとえば、第１の部材および第２の部材の双方が、水平方向に真直ぐ延びていてもよい。あるいは、第１の部材および第２の部材の一方だけが段差を有していてもよい。
【００４８】
上記した実施の形態１と実施の形態２とを組み合わせてもよい。この場合のスパナの例を、実施の形態３として以下に説明する。
【００４９】
＜実施の形態３＞
図１１は、本発明の実施の形態３に係るスパナ１０Ｄの構成例を示す平面図である。スパナ１０Ｄについては、実施の形態２のスパナ１０Ｃとの相違点のみ説明する。
【００５０】
スパナ１０Ｄは、第１の部材１１と、第２の部材１４Ａと、第３の部材１５とを備えている。第２の部材１４Ａは、第１の部材１１と同様に、高さ方向に段差を有しておらず、真直ぐに延びている。
【００５１】
第３の部材１５は、上記実施の形態１において柄として機能した第２の部材に相当している。そのため、第３の部材１５は、回動軸線１３０を中心として、第１の部材１１および第２の部材１４Ａに回動自在に連結されている。ただし、第３の部材１５は、高さ方向に段差を有しておらず、真直ぐ延びている。第３の部材１５は、高さ方向において、たとえば、第１の部材１１と第２の部材１２との間に配置されている。
【００５２】
本実施の形態のスパナ１０Ｄによれば、水平面上において第３の部材１５の両側に位置する２つのねじ部品４０を、第１の部材１１の挟持部２０および第２の部材１４Ａの挟持部３０にて、一度に締付けを行うこともできる。
【００５３】
あるいは、第１の部材１１および第２の部材１４Ａの板厚が薄いような場合には、それらを上下に重ねて使用してもよい。つまり、第１の部材１１および第２の部材１４Ａを上下方向に重ねることで、高さのあるねじ部品４０に対しても、適切に締め付けを行うことができる。
【００５４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５５】
１  基礎、２  柱、１０，１０Ａ，１０Ｂ，１０Ｃ，１０Ｄ  スパナ、１１，１１Ａ  第１の部材、１２，１２Ａ，１４，１４Ａ  第２の部材、１３  連結軸、１５  第３の部材、２０，３０  挟持部、２１，３１  上あご部、２２，３２  下あご部、２１ａ，２１ｂ，２２ａ，２２ｂ  内側面、４０  ねじ部品、４１，４２  側面、５０  高さ調整ボルト、５１  ボルト頭、５２  軸部、５３  ナット、６０  パネル受け部、７０  水切取付具、１１１，１１２，１２１，１２２，１４１，１４２  水平部、１１３，１２３，１４３  傾斜部、１３０  回動軸線。
【図１】
2015168026.tif 000003
【図２】
2015168026.tif 000004
【図３】
2015168026.tif 000005
【図４】
2015168026.tif 000006
【図５】
2015168026.tif 000007
【図６】
2015168026.tif 000008
【図７】
2015168026.tif 000009
【図８】
2015168026.tif 000010
【図９】
2015168026.tif 000011
【図１０】
2015168026.tif 000012
【図１１】
2015168026.tif 000013